(57)【特許請求の範囲】
【請求項１】
それぞれ電気的な光源を点灯させる少なくとも１個の点灯部と、
少なくとも１個の使用残量を記憶するとともに、前記各使用残量のうち０より大きいものについては少なくともいずれかの前記光源の点灯中には時間とともに減少させる残量管理部と、
それぞれ前記使用残量のうちの少なくとも１個に対応付けられ前記各点灯部についてそれぞれ制御の指示を出力する少なくとも１個の制御指示部と、
対応する前記使用残量が０に達していない前記各制御指示部のうちの少なくとも１個の出力に応じて前記各点灯部をそれぞれ制御する制御部とを備え、
前記制御部は、前記制御指示部のうち対応する前記使用残量が０に達しているものの出力を前記各点灯部の制御に反映させないものであって、
それぞれ所定の検出範囲内における人体の有無を判定するとともに判定結果に応じた出力を生成する少なくとも１個の人感センサからなる前記制御指示部を備え、
各点灯部はそれぞれ予めいずれかの前記人感センサに対応付けられていて、
前記制御部は、前記制御指示部の出力に従った制御として、前記各点灯部についてそれぞれ、対応する前記人感センサによる判定結果に応じた制御を行うことを特徴とする照明システム。
【請求項２】
それぞれ電気的な光源を点灯させる少なくとも１個の点灯部と、
少なくとも１個の使用残量を記憶するとともに、前記各使用残量のうち０より大きいものについては少なくともいずれかの前記光源の点灯中には時間とともに減少させる残量管理部と、
それぞれ前記使用残量のうちの少なくとも１個に対応付けられ前記各点灯部についてそれぞれ制御の指示を出力する少なくとも１個の制御指示部と、
対応する前記使用残量が０に達していない前記各制御指示部のうちの少なくとも１個の出力に応じて前記各点灯部をそれぞれ制御する制御部とを備え、
前記制御部は、前記制御指示部のうち対応する前記使用残量が０に達しているものの出力を前記各点灯部の制御に反映させないものであって、
それぞれいずれかの前記光源によって照明される面の照度を検出する少なくとも１個の照度センサからなる前記制御指示部を備え、
各点灯部はそれぞれ予めいずれかの前記照度センサに対応付けられていて、
前記制御部は、前記制御指示部の出力に従った制御として、前記各点灯部についてそれぞれ、対応する前記照度センサにより検出された照度に応じた制御を行うことを特徴とする照明システム。
【請求項３】
それぞれ電気的な光源を点灯させる少なくとも１個の点灯部と、
少なくとも１個の使用残量を記憶するとともに、前記各使用残量のうち０より大きいものについては少なくともいずれかの前記光源の点灯中には時間とともに減少させる残量管理部と、
それぞれ前記使用残量のうちの少なくとも１個に対応付けられ前記各点灯部についてそれぞれ制御の指示を出力する少なくとも１個の制御指示部と、
対応する前記使用残量が０に達していない前記各制御指示部のうちの少なくとも１個の出力に応じて前記各点灯部をそれぞれ制御する制御部とを備え、
前記制御部は、前記制御指示部のうち対応する前記使用残量が０に達しているものの出力を前記各点灯部の制御に反映させないものであって、
パスワードの入力を受け付ける更新入力部と、
予め少なくとも１個のパスワードが格納された記憶部とを備え、
前記残量管理部は、前記記憶部に格納されたパスワードであって未だ入力されていないパスワードが前記更新入力部に入力されたとき、少なくとも１個の前記使用残量をそれぞれ増加させることを特徴とする照明システム。
【請求項４】
前記残量管理部は、全ての前記光源が消灯している期間には前記各使用残量をそれぞれ減少させないことを特徴とする請求項１〜３のいずれか１項に記載の照明システム。
【請求項５】
前記残量管理部は、単位時間当たりの前記各使用残量の減少量を、それぞれ前記各光源の光出力の合計が高いほど多くすることを特徴とする請求項４記載の照明システム。
【発明の詳細な説明】
【技術分野】
【０００１】
本発明は、照明システムに関するものである。
【背景技術】
【０００２】
従来から、各種センサの出力や操作入力に応じて光源の光出力を変化させる照明システムが提供されている（例えば、特許文献１参照）。
【０００３】
この種の照明システムにおいては、技術の進歩により、消費電力の低減や演色性の改善などの改良が施されたものが次々と提供されている。
【０００４】
ところで、オフィス機器においては、使用量に応じて料金を支払うリース契約による提供が行われている。リース契約であれば、購入に比べ、機器の導入時の初期費用が抑えられるから、最新型の機器が利用しやすくなる。また、購入と違って所有権が移転しないので、業者が適正な保守やリサイクルを行いやすくなるという利点もある。
【先行技術文献】
【特許文献】
【０００５】
【特許文献１】特許第３８０００３０号公報
【発明の概要】
【発明が解決しようとする課題】
【０００６】
ここで、上記の照明システムを構成する各種の装置は、天井面や壁面に埋込配設されることや、電源線等の配線が天井面や壁面に埋込配設されることが多く、このような場合には一般的なオフィス機器に比べて撤去が困難となる。従って、上記の照明システムをリース契約によって提供することを考えると、例えばリース契約の期限が切れて契約の更新が適切にされない場合に、リース契約の業者（以下、単に「業者」と呼ぶ。）にとっては、上記装置の撤去という対抗手段をとりにくいことにより、リース契約の利用者（以下、単に「利用者」と呼ぶ。）に対して契約の更新を促すような対処が困難となる。このため、従来の照明システムはリース契約に不向きであった。
【０００７】
本発明は、上記事由に鑑みて為されたものであり、その目的は、リース契約に適した照明システムを提供することにある。
【課題を解決するための手段】
【０００８】
本発明の照明システムは、それぞれ電気的な光源を点灯させる少なくとも１個の点灯部と、少なくとも１個の使用残量を記憶するとともに、前記各使用残量のうち０より大きいものについては少なくともいずれかの前記光源の点灯中には時間とともに減少させる残量管理部と、それぞれ前記使用残量のうちの少なくとも１個に対応付けられ前記各点灯部についてそれぞれ制御の指示を出力する少なくとも１個の制御指示部と、対応する前記使用残量が０に達していない前記各制御指示部のうちの少なくとも１個の出力に応じて前記各点灯部をそれぞれ制御する制御部とを備え、前記制御部は、前記制御指示部のうち対応する前記使用残量が０に達しているものの出力を前記各点灯部の制御に反映させないものであって、それぞれ所定の検出範囲内における人体の有無を判定するとともに判定結果に応じた出力を生成する少なくとも１個の人感センサからなる前記制御指示部を備え、各点灯部はそれぞれ予めいずれかの前記人感センサに対応付けられていて、前記制御部は、前記制御指示部の出力に従った制御として、前記各点灯部についてそれぞれ、対応する前記人感センサによる判定結果に応じた制御を行うことを特徴とする。
【００１０】
また、本発明の別の照明システムは、それぞれ電気的な光源を点灯させる少なくとも１個の点灯部と、少なくとも１個の使用残量を記憶するとともに、前記各使用残量のうち０より大きいものについては少なくともいずれかの前記光源の点灯中には時間とともに減少させる残量管理部と、それぞれ前記使用残量のうちの少なくとも１個に対応付けられ前記各点灯部についてそれぞれ制御の指示を出力する少なくとも１個の制御指示部と、対応する前記使用残量が０に達していない前記各制御指示部のうちの少なくとも１個の出力に応じて前記各点灯部をそれぞれ制御する制御部とを備え、前記制御部は、前記制御指示部のうち対応する前記使用残量が０に達しているものの出力を前記各点灯部の制御に反映させないものであって、それぞれいずれかの前記光源によって照明される面の照度を検出する少なくとも１個の照度センサからなる前記制御指示部を備え、各点灯部はそれぞれ予めいずれかの前記照度センサに対応付けられていて、前記制御部は、前記制御指示部の出力に従った制御として、前記各点灯部についてそれぞれ、対応する前記照度センサにより検出された照度に応じた制御を行うことを特徴とする。
本発明の更に別の照明システムは、それぞれ電気的な光源を点灯させる少なくとも１個の点灯部と、少なくとも１個の使用残量を記憶するとともに、前記各使用残量のうち０より大きいものについては少なくともいずれかの前記光源の点灯中には時間とともに減少させる残量管理部と、それぞれ前記使用残量のうちの少なくとも１個に対応付けられ前記各点灯部についてそれぞれ制御の指示を出力する少なくとも１個の制御指示部と、対応する前記使用残量が０に達していない前記各制御指示部のうちの少なくとも１個の出力に応じて前記各点灯部をそれぞれ制御する制御部とを備え、前記制御部は、前記制御指示部のうち対応する前記使用残量が０に達しているものの出力を前記各点灯部の制御に反映させないものであって、パスワードの入力を受け付ける更新入力部と、予め少なくとも１個のパスワードが格納された記憶部とを備え、前記残量管理部は、前記記憶部に格納されたパスワードであって未だ入力されていないパスワードが前記更新入力部に入力されたとき、少なくとも１個の前記使用残量をそれぞれ増加させることを特徴とする。
【００１１】
さらに、この照明システムにおいて、前記残量管理部は、全ての前記光源が消灯している期間には前記各使用残量をそれぞれ減少させないことが望ましい。
【００１２】
また、この照明システムにおいて、前記残量管理部は、単位時間当たりの前記各使用残量の減少量を、それぞれ前記各光源の光出力の合計が高いほど多くすることが望ましい。
【発明の効果】
【００１４】
上記構成によれば、いずれかの使用残量が０となったときには、該使用残量に対応する制御指示部の出力が各点灯部の制御に反映されなくなり、利用者にとっては不便となることで、契約の更新を促すことができるから、リース契約に適する。
【図面の簡単な説明】
【００１５】
【図１】本発明の実施形態を示すブロック図である。
【図２】同上の変更例を示す説明図である。
【発明を実施するための形態】
【００１６】
以下、本発明を実施するための最良の形態について、図面を参照しながら説明する。
【００１７】
本実施形態は、図１に示すように、それぞれ電気的な光源ＬＡを有する複数個の照明装置１と、各照明装置１をそれぞれ制御する制御装置２とを備える。各照明装置１は例えば天井面に埋込配設され、制御装置２は例えば壁面に埋込配設される。
【００１８】
各照明装置１は、それぞれ、電気的な光源ＬＡと、信号線ＳＬに接続されるとともに信号線ＳＬを介して制御装置２から送信された制御信号を受信する制御入力部１１と、制御入力部１１に受信された制御信号に従って光源ＬＡの点灯・消灯や光出力の変更を行う点灯部１２とを有する。
【００１９】
光源ＬＡとしては例えば白熱灯や放電灯や発光ダイオードといった周知の電気的光源を用いることができる。また、点灯部１２としては、光源ＬＡとして放電灯が用いられる場合には周知の電子安定器によって実現することができ、光源ＬＡとして発光ダイオードが用いられる場合には周知の直流電源回路を用いることができる。また、点灯部１２から光源ＬＡへの入力電力の変更及び光源ＬＡの光出力の変更は、光源ＬＡが放電灯である場合には、点灯部１２の出力の周波数の変更によって実現することができ、光源ＬＡが発光ダイオードである場合には、点灯部１２の出力電流の変更や、人の目に点滅が認識できない程度に充分に高い周波数での間欠点灯におけるオンデューティの変更によって実現することができる。さらに、光源ＬＡが白熱灯である場合には、点灯部１２は位相制御により光源ＬＡへの入力電力の変更及び光源ＬＡの光出力の変更を行うものとすることができる。いずれの場合にも光源ＬＡ及び点灯部１２はそれぞれ周知技術で実現可能であるので、詳細な図示並びに説明は省略する。
【００２０】
また、各照明装置１においてそれぞれ制御入力部１１には予めアドレス番号が設定されており、制御装置２から送信される制御信号にはそれぞれアドレス番号の情報が含まれている。そして、各照明装置１において、それぞれ、制御入力部１１は、自身に設定されたアドレス番号の情報が含まれた制御信号のみを受信する。このような制御入力部１１は周知技術で実現可能であるので詳細な図示並びに説明は省略する。
【００２１】
また、制御装置２は、光出力の指示が入力される指示入力部２１と、リース契約における使用期限に対応する使用残量を管理する残量管理部２２と、指示入力部２１に入力された指示と残量管理部２２に管理された使用残量とに応じた制御信号を生成する制御部２３と、制御部２３が生成した制御信号を信号線ＳＬを介して各照明装置１にそれぞれ送信する制御出力部２４と、制御部２３に制御されて使用残量等を表示する表示部２５とを有する。
【００２２】
使用残量は例えば時間の単位で管理され、残量管理部２２は、制御部２３の制御によりいずれかの照明装置１で光源ＬＡが点灯されている期間中には時間の経過とともに使用残量を徐々に減少させる。この場合には残量管理部２２は例えば周知の電子式時計を用いて実現することができる。または、使用残量は各照明装置１における光源ＬＡの点灯状態に関わらず減少されるものであってもよく、この場合、使用残量は、日付が変わる度に一日ずつ減少するといったような日単位や、月が変わる度に１ヶ月ずつ減少するといったような月単位とすることができる。使用残量が各照明装置１における光源ＬＡの点灯状態に関わらず減少される場合、停電等で外部からの電力の供給が絶たれている期間にも使用残量の減少が可能となるように、制御装置２には上記期間中の電源として電池が設けられていることが望ましい。ただし、全ての光源ＬＡが消灯されている期間中には使用残量が減少されない構成としたほうが、光源ＬＡの点灯状態に関わらず使用残量が減少される構成とする場合に比べ、利用者にとって全ての光源ＬＡを消灯させる省エネに対し使用残量の節約（すなわち使用残量にかかる費用の節約）という動機付けがされるから望ましい。
【００２３】
さらに、使用残量の単位時間当たりの減少量（使用残量の減少速度）を、各照明装置１の光源ＬＡの光出力の合計が高いほど（つまり消費電力の合計が多いほど）増加させ、例えば使用残量を電力の単位で管理してもよい。この場合には、利用者にとって各光源ＬＡの光出力を抑えることや点灯させる光源ＬＡの個数を減らすことの動機付けができるから、使用残量が時間の単位で管理される場合に比べ、利用者に対して更に省エネを促すことができる。上記のような残量管理部２２は例えばマイコンと呼ばれる集積回路を用いて周知技術で実現可能であるので詳細な図示並びに説明は省略する。また、残量管理部２２が消費電力の合計を認識する方法については、例えば各照明装置１との間での通信を用いるという方法や、予め記憶されたデータ（例えば、各光源ＬＡの定格電力）と送信された制御信号の内容とに基く演算を用いるという方法や、消費電力の合計を測定する周知の電力計（図示せず）を別途に設けてこれを用いるという方法などが考えられ、いずれも周知技術で実現可能であるので詳細な説明は省略する。
【００２４】
表示部２５は、液晶パネルや７セグメント発光ダイオードといった表示素子と、制御部２３によって制御されて上記の表示素子を駆動する駆動回路とで構成することができ、周知技術で実現可能であるので、詳細な図示並びに説明は省略する。表示部２５における使用残量の表示は、後述するパスワードの入力中など他の表示が行われる期間以外は常に行われるものとしてもよいが、使用残量が所定量を下回っている期間にのみ行われるものとしてもよい。
【００２５】
制御部２３は、残量管理部２２から使用残量を随時得るとともに、使用残量が０以外である期間には、各照明装置１についてそれぞれ光源ＬＡの光出力を指示入力部２１への入力に応じた光出力とするように点灯部１２を制御する制御信号を生成し、使用残量が０である期間には、指示入力部２１への入力に関わらず一定の制御信号を生成する。つまり、使用残量が尽きると、指示入力部２１への入力に応じた制御が行われなくなる。使用残量が０である期間に生成される制御信号は、例えば、各照明装置１においてそれぞれ光源ＬＡの定格電力に対する点灯部１２の出力電力の比（以下、「調光率」と呼ぶ。）を２０％とするものである。上記のような制御部２３は、例えば、マイコンを用いて実現することができる。
【００２６】
指示入力部２１は、光出力を指示する操作入力を受け付けるものであってもよいし、少なくとも１個の自動制御用のセンサ（図示せず）からの信号を受信するものであってもよい。前者の場合には指示入力部２１自体が制御指示部を構成し、後者の場合にはセンサが制御指示部を構成する。操作入力を受け付ける指示入力部２１は例えばキーボードやタッチパネルといった周知の入力手段で構成することができる。また、上記の各センサからの信号は、有線で送受信される電気信号（有線信号）であってもよいし、電波や赤外光を媒体とした無線信号であってもよく、いずれの場合にも指示入力部２１は周知技術で実現可能であるので詳細な図示並びに説明は省略する。さらに、同種のセンサが複数個用いられる場合であって各センサから指示入力部２１に入力される信号がそれぞれセンサ毎に固有の識別情報を含む場合、各照明装置１のアドレスをそれぞれ上記の識別情報のいずれかに対応付けておき、制御部２３は各照明装置１に対してそれぞれ対応付けられた識別情報毎の制御信号を生成することで、各照明装置１の動作をそれぞれ対応する１個のセンサ（例えば、最も近くに設置されたセンサ）の出力のみに応じた動作とすることができる。
【００２７】
また、上記の自動制御用のセンサとしては、いずれかの照明装置１の光源ＬＡにより照明される被照面の照度を検出するとともに検出された照度を示す信号を送信する照度センサや、いずれかの照明装置１の光源ＬＡにより照明される範囲の少なくとも一部を含む所定の検出範囲内における人体の有無を判定するとともに判定結果に応じた信号を送信する人感センサが考えられる。照度センサは例えばフォトダイオードを用いて実現することができ、人感センサは例えば人体から放射される熱線を検出する焦電センサを用いて実現することができ、いずれも周知技術で実現可能であるので詳細な図示並びに説明は省略する。
【００２８】
照度センサが用いられる場合、制御部２３は、使用残量が残っている（つまり０以外である）期間中、例えば、各照度センサによって検出された照度をそれぞれ予め定められた目標照度に可能な限り近づけるような制御信号を生成する。すなわち、各照明装置１には、それぞれ、対応付けられた照度センサによる照度が低いほど高い光出力を指示する制御信号が送信される。
【００２９】
また、人感センサが用いられる場合、制御部２３は、使用残量が残っている期間中、各照明装置１での光源ＬＡの光出力を、それぞれ対応付けられた人感センサの出力に応じた光出力とするような制御信号を生成する。例えば、人感センサからの信号に基いて検出範囲内に人体が存在すると推定される期間（以下、「存在期間」と呼ぶ。）には調光率を１００％とさせる制御信号を生成し、人感センサからの信号に基いて検出範囲内に人体が存在しないと推定される期間（以下、「不在期間」と呼ぶ。）には、光源ＬＡを消灯させ（つまり調光率を０％とし）、又は、存在期間よりも光源ＬＡの光出力を低く（例えば調光率を２０％に）するような制御信号を生成する。ここで、人感センサが、例えば検出範囲から入射する赤外線の変化に基いて人体を検出するＰＩＲ（Passive Infrared Ray）センサや、検出範囲に照射されて反射された電波や超音波のドップラシフトに基いて人体を検出するドップラセンサのように、静止している人体を検出することができないものである場合、検出範囲に静止した人体が存在するにも関わらず不在期間の動作とされてしまうことを避けるために、人感センサに人体が検出されなくなった後にも所定の点灯保持時間は存在期間の動作が維持されることが望ましい。
【００３０】
上記構成によれば、使用残量が０となった後は指示入力部２１への入力に従った制御が行われなくなって利用者にとっては不便となることで契約の更新を促すことができるから、リース契約に適する。
【００３１】
また、本実施形態では、リース契約が更新された際に、使用残量を増加させることが可能となっている。以下、使用残量の増加に関わる構成について説明する。
【００３２】
制御装置２は、使用残量を増加させるためのパスワードの入力を受け付ける更新入力部２６と、複数個のパスワードが予め格納された記憶部２７とを有する。上記のパスワードは業者が発行する文字列であり、例えば８個の数字からなる。
【００３３】
更新入力部２６へのパスワードの入力方法としては、更新入力部２６への直接の操作入力による方法と、パーソナルコンピュータ等の別途の装置との通信による方法とが考えられる。直接の操作入力によりパスワードを入力される更新入力部２６は、例えばキーボードやタッチパネルといった周知の入力手段を用いて実現することができる。また、別途の装置との通信によりパスワードを入力される更新入力部２６は、周知の通信手段を用いて実現することができる。さらに、上記の通信が有線で行われる場合には、上記の別途の装置と更新入力部２６との相互の接続に、例えばＵＳＢコネクタのような周知のコネクタを用いてもよい。
【００３４】
制御部２３は、更新入力部２６にパスワードが入力されている間には入力された数字等の文字を随時表示するように表示部２５を制御するとともに、パスワードの入力が完了されたときには入力されたパスワードを記憶部２７に格納された各パスワードとそれぞれ比較する。そして、入力されたパスワードが記憶部２７に格納されたパスワードであって未だ入力されていないパスワードのいずれかに一致すれば、制御部２３は、使用残量を所定量（例えば５０００時間）だけ増加させるように残量管理部２２を制御する。
【００３５】
さらに、増加させる使用残量を、記憶部２７に格納されたパスワード毎に異ならせてもよい。この場合、記憶部２７に格納された各パスワードには、それぞれ、使用残量の増加量が対応付けて格納される。また、制御部２３は、更新入力部２６へのパスワードの入力に応じて使用残量を増加させる際、入力されたパスワードに対して記憶部２７で対応付けられた増加量だけ増加させる。業者は、利用者との間で交わされた契約に応じたパスワードを利用者に対して通知すればよい。
【００３６】
ここで、指示入力部２１と更新入力部２６とがともに操作入力を受け付けるものである場合、互いに共通の入力手段を指示入力部２１と更新入力部２６とに兼用することができる。０〜９の１０個の番号釦と％＃の２個の記号釦とを有する入力手段ＰＢが指示入力部２１と更新入力部２６とに兼用された例を図２に示す。図２の例では、各照明装置１はそれぞれ複数本（図では２本）の信号線ＳＬのいずれかに接続されており、照明装置１の制御は、アドレスによってではなく、接続される信号線ＳＬによって区別されている。つまり、制御信号にはアドレスは含まれず、制御出力部２４は制御部２３の制御に応じた信号線ＳＬに対して制御信号を送信する。
【００３７】
図２の例では、利用者は、いずれかの照明装置１の光源ＬＡの光出力を変更したい場合、まず対象の照明装置１が接続された信号線ＳＬに予め設定された番号を入力した後に＃の記号釦が押し、さらに変更後の調光率を入力した後に％の記号釦を押す。すると、制御部２３は光出力の変更の指示が入力されたと認識し、入力された調光率への変更を指示する制御信号を生成するとともに、この制御信号を、入力された番号が設定された信号線ＳＬに送信するように制御出力部２４を制御する。上記のように照明装置１が信号線ＳＬ毎に制御される場合、制御信号にはアドレスが含まれている必要がないので、制御信号は例えば指示する光出力（調光率）をオンデューティ又は電圧値によって表現するＰＷＭ信号又はアナログ電圧信号とすることができる。
【００３８】
また、利用者は、リース契約の更新に当り、業者から通知されたパスワードを入力したい場合、まず＃の記号釦を押した後でパスワードを入力する。
【００３９】
なお、操作方法は上記に限られず、入力手段ＰＢに入力されたのが制御の指示であるかパスワードであるかが制御部２３に区別できればよい。
【００４０】
さらに、上記の入力手段ＰＢに特定の操作入力が受け付けられたときに、制御部２３が記憶部２７に格納されたパスワードを更新するものとしてもよい。上記の特定の操作入力は、業者によって行われるべきものであるので、利用者によって偶然行われてしまうことがないように、例えば複数個の釦の同時押し操作を含むといったようになるべく複雑なものであることが望ましい。上記のように記憶部２７の書き換えが行われる場合、記憶部２７としては書き換え可能な周知の不揮発性メモリ（例えばＥＥＰＲＯＭ）を用いることができる。
【００４１】
ここで、各照明装置１において、それぞれ、互いに近接配置されそれぞれ光色が異なる複数個の光源（例えば発光ダイオード）ＬＡと、光源ＬＡ毎の複数個の点灯部１２とを設けるとともに、制御部２３が上記複数個の点灯部１２間の出力電力の比率を制御することで上記複数個の光源ＬＡ間での光出力の比率を変更するようにすれば、各照明装置１についてそれぞれ上記複数個の光源ＬＡの混色による全体としての光色を変更するという制御も可能である。
【００４２】
また、指示入力部２１において複数種類の入力を受け付ける（つまり制御指示部を複数個設ける）とともに、入力の種別毎（つまり制御指示部毎）に使用残量を設定し、使用残量が０となった入力（つまり制御指示部の出力）のみを無効とする構成を採用してもよい。指示入力部２１において複数種類の入力を受け付ける構成としては、例えば、操作入力に応じた光出力の制御を行う手動制御モードと照度センサの出力に応じて照度を一定とするように光出力の制御を行う照度一定制御モードとの間で動作モードの切替を可能とする構成や、操作入力に応じたオンオフ制御を行う手動オンオフモードと照度センサの出力に応じたオンオフ制御を行う照度オンオフモードと人感センサの出力に応じたオンオフ制御を行う人感オンオフモードとの間で動作モードの切替を可能とする構成や、オンオフ制御を人感センサの出力に応じて行うとともに光出力の制御を照度センサの出力に応じて行う構成などが考えられる。上記のうち、動作モードの切替を可能とする構成の場合には、使用残量が０となった入力の種別に対応する動作モードを選択不能とする。また、オンオフ制御を人感センサの出力に応じて行うとともに光出力の制御を照度センサの出力に応じて行う構成の場合には、オンオフ制御と光出力の制御とのうち０となった使用残量に対応する制御を無効とする。この場合、記憶部２７において各パスワードをそれぞれ入力の種別に対応付けるとともに、入力されたパスワードに対応する入力の種別の使用残量のみが増加されるようにすれば、業者にとっては、指示入力部２１において有効とする入力の種別の組み合わせ毎の複数通りの契約（サービス）を利用者に対して提示することが可能となる。
【００４３】
さらに、装置の構成も上記に限られず、例えば、制御装置２から分離したリモコン装置（図示せず）に入力手段ＰＢを設け、このリモコン装置と制御装置２との間で有線通信又は無線通信が行われるようにしてもよく、この場合には制御装置２を天井など人の手が届かないところに設置することもできる。上記のような有線通信や無線通信はいずれも周知技術で実現可能であるので詳細な図示並びに説明は省略する。
【符号の説明】
【００４４】
１２  点灯部
２１  指示入力部（制御指示部）
２２  残量管理部
２３  制御部
２６  更新入力部
２７  記憶部
ＬＡ  光源
ＰＢ  入力手段（制御指示部及び更新入力部）
【図１】
0005491950.tif 000002
【図２】
0005491950.tif 000003